(57)【要約】      （修正有）【課題】ディジタル圧縮された情報を録画し、その情報の再生を制限する。【解決手段】暗号化したままの信号、視聴権利情報、録画した番組のガイド情報を記録し、再生毎に課金処理する。あるいは、暗号を復号した信号、視聴権利情報、録画した番組のガイド情報を記録し、視聴権利情報に基づき所定の期間だけ再生を許可する。これにより簡単に、かつ確実に再生を制限できるので、無制限に再生できる複製の作成を防ぐことができ、著作権者、サービス供給者の権利を守ることができる。【選択図】図１０
2010022029.tif 000002
【特許請求の範囲】
【請求項１】
ビット圧縮された複数のチャネルの番組と該複数の番組のガイド情報とを伝送し、
該伝送された複数の番組と複数の番組のガイド情報とを受信し、
該受信された複数の番組から１つの番組を選択し、
該選択された番組を記録再生装置で記録し、再生し、
該再生された番組をビット伸長して復元し、視聴するシステムにおいて、
上記受信した複数の番組のガイド情報から上記選択した番組のガイド情報を選択して新たなガイド情報を作成し、
上記選択された番組と上記新たなガイド情報とを同時に上記記録再生装置に出力し、
上記記録再生装置から再生された新たなガイド情報に基づき上記再生された番組をビット伸長して復元することを特徴とするディジタル信号の受信方法。
【請求項２】
請求項１記載の複数の番組の内、少なくとも２つの番組と複数の番組のガイド情報をパケット化し、時分割多重して伝送し、
上記ガイド情報には少なくとも各パケットの識別情報を含み、
上記再生された新たなガイド情報からパケットの識別情報を読みだし、
上記読み出したパケット情報に基づき上記再生された番組のパケットを選択してビット伸長する
ことを特徴とするディジタル信号の受信方法。
【請求項３】
請求項１記載の複数の番組のガイド情報は該複数の番組のガイド情報が受信される日時の情報を含み、
上記受信した複数の番組のガイド情報に含まれる日時の情報を用いて現在の時刻を設定し、
上記新たなガイド情報は上記受信した複数の番組のガイド情報に含まれる日時の情報を含み、
上記再生された新たなガイド情報に含まれる日時の情報と上記現在時刻を比較し、
上記比較結果が所定期間をすぎた場合には上記再生された番組のビット伸長を禁止することを特徴とするディジタル信号の受信方法。
【請求項４】
ビット圧縮された複数のチャネルの番組と、該複数の番組のガイド情報であって少なくともその情報が受信される日時の情報を含む複数の番組のガイド情報とを伝送し、
該伝送された複数の番組と複数の番組のガイド情報とを受信し、
該受信された複数の番組から１つの番組を選択し、
該選択された番組を記録再生装置で記録し、再生し、
該再生された番組をビット伸長して復元し、視聴するシステムにおいて、
上記受信した複数の番組のガイド情報から上記選択した番組のガイド情報と上記日時の情報を選択して新たなガイド情報を作成する手段と、
上記選択された番組と上記新たなガイド情報とを同時に上記記録再生装置に出力する手段と、
上記受信した複数の番組のガイド情報に含まれる日時の情報を用いて現在の時刻を設定する手段と、
上記再生された新たなガイド情報に含まれる日時の情報と上記現在時刻を比較する手段と、
上記比較結果が所定期間をすぎた場合には上記再生された番組のビット伸長を禁止する手段
とを有することを特徴とするディジタル信号の受信装置。
【発明の詳細な説明】
【技術分野】
【０００１】
本発明は同軸ケーブル、光ケーブル、電話回線、さらには衛星放送などの伝送手段により伝送されてきた映画、番組などのディジタル情報信号を受信し、記録再生する方法及び装置に関し、特に、記録したディジタル情報信号の再生を制限するディジタル信号の受信方法及び装置に関する。
【背景技術】
【０００２】
映像信号の記録再生装置での複製を禁止する方法として、例えば特開昭61-288582（以下第1の公報と呼ぶ）が知られている。この第1の公報に記載されている技術は、映像信号の同期信号の直後に信号を付加することで、テレビ受像機は誤動作することなく、ビデオカセットレコーダ（以下VTRと記す）は画質劣化した信号を記録するようにしたものである。
【０００３】
また、特開平4-360068（以下第2の公報と呼ぶ）には、複製を制限したり、閲覧を阻止するデータ記録再生装置に関する技術が示されている。
【０００４】
また、映像信号を高効率にディジタル圧縮する方式として、例えばMPEG-2（Moving Picture Experts Group）と呼ばれるITU-T Draft Rec. H.262標準が知られている。そして、MPEG-2で圧縮された映像信号、音声信号などの伝送標準としてはMPEG-2 Systems Working Draftが知られている。
【先行技術文献】
【特許文献】
【０００５】
【特許文献１】特開昭61-288582号公報
【特許文献２】特開平4-360068号公報
【発明の概要】
【発明が解決しようとする課題】
【０００６】
上記標準には番組を圧縮してディジタル放送する技術が示されている。この圧縮方式を用いると圧縮率を大きく取れることから従来のアナログ放送に比較して、同一の伝送チャンネルで４〜８倍の番組を放送することができる。このため、例えば同一の2時間の映画を30分ずつ時間をシフトして繰り返し放送する、ニアビデオオンデマンドと呼ばれるサービスがすでに開始されている。しかし、全ての番組を1日中ニアビデオオンデマンドで放送することはできないので、従来と同様に、放送信号を録画し、時間シフトして自分の都合の良い時間に再生して見たいという要求がある。
【０００７】
この、ディジタル圧縮され、ディジタル放送された番組を記録再生する方法として、受信したディジタル信号を伸長し、アナログ信号に変換した後従来のアナログVTRに記録する方法が考えられる。しかし、アナログ信号に変換してアナログVTRで録画したのではせっかくのディジタル信号のS/Nの良さが損なわれてしまう。
【０００８】
ディジタル放送された信号をそのままディジタル記録することが望まれるが、上記した例えばMPEG標準で圧縮し、伝送されたようなディジタル信号を記録する技術については今だ開示されていない。通常ディジタル信号を記録再生する場合、誤り訂正を充分に行うため、画質低下することなく同一のテープを繰り返し鑑賞することができるという利点がある。しかし、一方では、画質低下無く同一のテープを繰り返し鑑賞できるようにするとセルビデオ（映画などが記録されたビデオの売り切りカセット）と同等のものが簡単にできてしまい著作権者の権利を守ることが困難になる。従来のアナログVTRの場合に著作権者の権利を守るための技術が、第1の公報に示されている。また、第2の公報には、複製を制限したり、閲覧を阻止するデータ記録再生装置に関する技術が示されている。
【０００９】
しかしながら、上記した、MPEG標準で圧縮し、伝送されたようなディジタル信号を記録する技術、及び、そのように記録された信号の再生を制限する技術についてはなんら示されていない。
【００１０】
本発明の目的は、例えばMPEG標準で圧縮、伝送された信号を効率良く記録し、かつ再生を制限することのできる方法及び装置を提供することにある。
【課題を解決するための手段】
【００１１】
上記課題を解決するために以下の手段を用いた。即ち、ビット圧縮された複数のチャネルの番組と、その複数の番組のガイド情報であって少なくともその情報が受信される日時の情報を含む複数の番組のガイド情報とを伝送し、伝送された複数の番組と複数の番組のガイド情報とを受信し、受信された複数の番組から１つの番組を選択し、選択された番組を記録再生装置で記録し、再生し、再生された番組をビット伸長して復元し、視聴するシステムにおいて、上記受信した複数の番組のガイド情報から選択した番組のガイド情報と日時の情報を選択して新たなガイド情報を作成する手段と、選択された番組と新たなガイド情報とを同時に上記記録再生装置に出力する手段と、受信した複数の番組のガイド情報に含まれる日時の情報を用いて現在の時刻を設定する手段と、再生された新たなガイド情報に含まれる日時の情報と現在時刻を比較する手段と、その比較結果が所定期間をすぎた場合には上記再生された番組のビット伸長を禁止する手段とを有する。
【００１２】
本願発明の作用としては、受信した複数の番組のガイド情報から現在時刻を確実に設定することができるし、また、受信した情報から時刻を設定するため人為的に現在時刻を変えることはできない。また、選択した番組を記録するときに受信したガイド情報から新たなガイド情報を作成し、その新たなガイド情報には番組を受信したときの日時情報が含まれるので、再生時に現在時刻と比較することにより確実に再生時の経過時間を知ることができる。経過時間が所定時間を越えた場合にはビット伸長を禁止することにより、録画テープの再生を制限することができる。
【発明の効果】
【００１３】
本発明によれば、入力されたディジタル情報を効率よく記録でき、さらに再生制限を簡単確実に行うことができる。
【図面の簡単な説明】
【００１４】
【図１】本発明に係るディジタル放送及びアナログ放送システムを示すブロック図。
【図２】本発明における番組配信センタの一実施例を示すブロック図。
【図３】本発明における送信処理装置の一実施例を示すブロック図。
【図４】本発明におけるレシーバデコーダの一実施例を示すブロック図。
【図５】本発明におけるレシーバデコーダの一実施例を示すブロック図。
【図６】本発明におけるVTRの一実施例を示すブロック図。
【図７】本発明における信号の波形図。
【図８】本発明における信号の波形図。
【図９】本発明の一実施例を示すブロック図。
【図１０】本発明の一実施例を示すブロック図。
【発明を実施するための形態】
【００１５】
本発明の一実施例として、衛星を用いた映像配信サービスについて、図１を用いて説明する。図１において、１０はソフト供給会社、２０はオペレーションセンタ、３０は番組配信センタ、３１は送信装置、３５は現行の放送局、３６は送信装置、４０は信号を配信するための衛星、５０は加入世帯、５１は受信装置、５２はレシーバデコーダ、５３はVTR、５４はテレビ受像機、５５は電話機、５６は受信装置である。
【００１６】
映像配信サービスはオペレーションセンタ２０を運営するオペレータにより行われる。オペレータはソフト供給会社１０と契約し、必要なソフトをソフト供給会社１０から番組配信センタ３０に供給を受ける。図１に示す実施例ではソフト供給会社１０は１つしか示されていないが、通常は複数のソフト供給会社よりソフトの供給を受ける。
【００１７】
番組配信センタ３０はセンタに備え付けられた送信装置３１により衛星４０に向けて電波を打ち上げる。衛星４０はその電波を受信し、加入者５０に向けて電波を送信する。送信された電波は受信装置５１で受信される。図１に示す実施例では加入者５０を１つしか示していないが、実際には複数の加入者が存在する。
【００１８】
受信装置５１で受信された電波はレシーバデコーダ５２に入力され、レシーバデコーダ５２で選択されたチャネルのソフトが選択される。選択されたソフトは必要に応じてVTR５３に記録される。VTR５３に記録され、好きな時に再生された信号はレシーバデコーダ５２に戻され、元の映像信号に復元した後、テレビ受像機５４に出力される。記録せずにそのまま見たい場合には、VTR５３を介することなく元の映像信号に復元された後、テレビ受像機５４に出力される。
【００１９】
加入者は自分の見たいソフトを電話機５５からオペレーションセンタ２０に送信要求することも可能である。また、オペレーションセンタ２０は電話回線を介して加入者３０の受信視聴状況をレシーバデコーダ５２から調べることができ、視聴状況に合わせて課金することもできる。
【００２０】
また、現行の放送局３５から送信装置３６で放送された電波は受信装置５６で受信され、受信された信号はVTR５３に入力され記録される。VTR５３で再生された信号はテレビ受像機５４に入力され視聴することができる。もちろん、VTR５３で記録する必要がない場合には、受信装置５６からの信号はテレビ受像機５４に入力され、そのまま視聴することができる。
【００２１】
図２は番組配信センタ３０の詳細を示す実施例のブロック図である。図２において、１００はソフト供給会社１０から送られてきたソフトの入力手段、１０１はオペレーションセンタ２０からの送出番組等の制御信号の入力手段、１１５は蓄積媒体の供給装置、１６０〜１６３は蓄積メディア、１７０〜１７３はビット圧縮装置、１８０は送信処理装置、１９０は番組制御装置、１９１は番組ガイド発生装置である。
【００２２】
図２に示す実施例では、図１に示すソフト供給会社１０から蓄積媒体で送られた場合を示す。この場合、端子１００は単に番組配信センタ３０への蓄積媒体の受取窓口を示すに過ぎない。受け取った蓄積媒体は蓄積媒体供給装置１１５に保管すると共に、番組制御装置１９０からの制御により蓄積メディア１６０〜１６３に蓄積媒体を供給する。蓄積メディア１６０〜１６３で再生された信号はそれぞれビット圧縮装置１７０〜１７３に入力され、MPEG-2標準などでビット圧縮されその出力信号は送信処理装置１８０に入力される。
【００２３】
また、オペレーションセンタ２０から入力手段１０１を介して送出番組等の制御信号が番組制御装置１９０に入力される。番組制御装置１９０からの番組送出制御信号が蓄積媒体供給装置１１５、蓄積メディア１６０〜１６３、送信処理装置１４０に入力される。この制御信号に従い、上記したように、蓄積媒体供給装置１１５内の蓄積媒体が蓄積メディア１６０〜１６３に供給され、蓄積メディア１６０〜１６３のソフトの再生、停止などが制御される。
【００２４】
また、番組配信センタ３０から加入世帯５０に配信される番組のガイド情報は、番組制御装置１９０からの情報に従い番組ガイド発生装置１９１で発生され、送信処理装置１８０に入力される。送信処理装置１８０では例えば上記したMPEG伝送標準に従い伝送するための信号処理を行う。送信処理された信号は伝送装置３１に入力され、伝送装置３１から衛星４０に向け出力される。
【００２５】
図３は送信処理装置１８０内の信号処理の１例を示すブロック図である。図３において、１７０a、〜１７３a、１９０a、１９１aはそれぞれ入力端子、１７０b〜１７３b、３１aはそれぞれ出力端子、１８１〜１８４は暗号化装置、１８５は時分割多重化装置、１８６は誤り訂正符号付加装置、１８７は変調装置である。
【００２６】
図３で、ビット圧縮装置１７０〜１７３からの信号はそれぞれ入力端子１７０a〜１７３aを介して暗号化装置１８１〜１８４に入力される。暗号化装置１８１〜１８４では入力されたそれぞれの番組が必要に応じて暗号化される。この暗号化は映像信号のみ、音声信号のみ、あるいは映像信号と音声信号の両方行ってもよい。暗号化された信号は時分割多重化装置１８５に入力される。端子１９０aは番組制御装置１９０からの信号の入力端子であり、時分割多重化装置１８５に各番組の視聴権利制御信号が入力される。この信号は各加入者が放送された信号の視聴権利を有するかどうかを示す信号からなる。さらに、時分割多重化装置１８５には番組ガイド発生装置１９１からの番組ガイド情報も入力される。そして、それぞれの信号が所定形式にパケット化され、時間軸方向に圧縮され多重化される。本実施例では、視聴権利制御信号、番組ガイド情報については暗号化装置を省いて示したが、これらについても暗号化を行ってもよい。
【００２７】
また、端子１９０aからは各番組のレート制御情報が入力される。これは、例えばビット圧縮装置１７０から入力される番組は４〜８Mbpsの範囲でビット圧縮し、ビット圧縮装置１７１から入力される番組は２〜６Mbpsの範囲でビット圧縮するなどの情報である。この情報に基づき、時分割多重化装置１８５はビット圧縮装置１７０〜１７３のビットレートの制御を行う。時分割多重化装置１８５からは出力端子１７０b 〜１７３bを介してビット圧縮装置１７０〜１７３に制御信号が出力される。これにより、時分割多重した後の信号レートが一定レート以下となるように各番組のビットレートを制御するのである。
【００２８】
時分割多重化装置１８５の出力信号は誤り訂正符号付加装置１８６に入力される。ここでは、例えば衛星回線、CATV回線などでノイズにより生じる伝送誤りを訂正するための誤り訂正符号が付加される。誤り訂正符号化装置の出力信号は変調装置１８７に入力され、図３に示す実施例の場合には４つのチャネルの番組が単一キャリアに変調され、１つの伝送チャネルとなる。単一キャリアに変調された信号は端子３１aを介して送信装置３１に向け出力される。
【００２９】
図２に示す実施例では蓄積メディアを４つ設け、伝送処理装置１８０に４つの番組を入力できる実施例を示したが、蓄積メディアを多く設け、さらに多くの番組を時分割多重してもよい。
【００３０】
また、図２に示す実施例では１伝送チャネル分の処理を示したが、蓄積メディア１６０〜１６３、ビット圧縮装置１７０〜１７３、送信処理装置１８０の組み合わせを複数持つことにより複数の伝送チャネルの信号を送ることもできる。
【００３１】
ここで、伝送チャネルとは上記したように複数の番組を時分割多重して単一キャリアで変調した信号を呼ぶことにし、複数の番組のそれぞれは単にチャネルと呼ぶことにする。
【００３２】
図４に加入世帯５０におけるレシーバデコーダの具体的な構成例を示す。図４において、２００は受信装置５１からの信号の入力端子、２０１はオペレーションセンタにソフトをリクエストするための信号や、有料放送の受信状況を知るための信号をやり取りするための信号の入出力端子、２０２は復元された信号の出力端子、２０３はVTRとの信号の入出力端子、２０５は図１に示す受信装置５６からの信号の入力端子、２１０はチューナ、２２０は誤り訂正回路、２３０は番組分割回路、２４０は切り換え回路、２５０は暗号復号回路、２６０はビット伸張するための復号回路、２７０は信号の出力処理回路、２８０は制御回路、２９０はインタフェース回路である。
【００３３】
衛星４０からの信号を受信した受信装置５１は端子２００を介してチューナ２１０に受信信号を入力する。チューナ２１０では受信した信号から制御回路２８０からの制御信号に従い、見たい番組の伝送チャンネルの信号を選択し、変調装置１８７で変調した信号を復調して誤り訂正回路２２０に出力する。誤り訂正回路２２０では、主に回線中で生じた誤りを誤り訂正符号付加装置１８６で付加した誤り訂正符号に従い誤り訂正する。誤り訂正された信号は番組分割回路２３０に入力される。番組分割回路２３０では１つの伝送チャネルに時分割多重化装置１８５で時分割多重された複数の番組から、制御回路２８０からの制御信号に従い所要の番組を選択して出力する。
【００３４】
番組分割回路２３０の出力信号は切り換え回路２４０とインタフェース回路２９０に入力され、さらに出力端子２０３を介してVTR５３に入力される。VTR５３では入力されたディジタルビットストリームを記録し、再生時には、入力されたビットストリームと同じ形態で入力端子２０３を介してインタフェース回路２９０に入力される。インタフェース回路２９０の出力信号は切り換え回路２４０に入力される。切り換え回路２４０は制御回路２８０からの制御信号により、受信した信号を復元する場合には番組分割回路２３０からの信号を選択して出力し、VTR５３の再生出力信号を選択して出力する場合にはインタフェース回路２９０からの信号を選択して出力する。
【００３５】
切り換え回路２４０の出力信号は暗号復号回路２５０に入力される。暗号復号回路２５０では、暗号化装置１８１〜１８４で暗号化された信号を復号する。暗号復号回路２５０から出力された暗号を復号された信号は復号回路２６０に入力され、図２に示すビット圧縮装置１６０〜１６３で施されたビット圧縮を復号して伸長する。
【００３６】
復号回路２６０でビット伸長された信号は出力処理回路２７０に輝度信号と２つの色差信号からなるコンポーネント信号が入力される。出力処理回路２７０では入力された２つの色差信号を直角２相変調して搬送色信号に変換し、得られた搬送色信号と輝度信号を出力する。出力信号は出力端子２０２を介してテレビ受像機５４に入力される。テレビ受像機５４がコンポジット入力端子しか有さない場合のため、出力処理回路２７０は輝度信号と搬送色信号を加算してコンポジット信号を出力してもよい。さらには、輝度信号と搬送色信号からなる信号とコンポジット信号全てを出力してもよい。
【００３７】
また、入力端子２０５から入力された受信装置５６からの信号はVTR５３で必要に応じ記録され、再生信号あるいは記録しない場合には入力信号あるいは入力と同等の信号がテレビ受像機５４に出力される。図４に示す実施例では、暗号復号する前の信号をVTR５３に記録するので、VTR５３への記録時には暗号復号する必要が必ずしもないので、記録時には無料で、再生する度に課金処理を行うことができる。
【００３８】
図５は図１に示すレシーバデコーダの他の具体例を示す実施例である。図５は図４に示す実施例と一部共通であり、その共通部分には同一符号を付し、その詳細説明を省略する。
【００３９】
図５に示す実施例では図４に示す実施例に対し切り換え回路２４０を暗号復号回路２５０の後に移動した。即ち、暗号復号回路２５０の出力信号がVTR５３と切り換え回路２４０に入力され、VTR５３の出力信号が切り換え回路２４０に入力される。そして切り換え回路２４０の出力信号が復号回路２６０に入力される。
【００４０】
図５に示す実施例では、暗号復号回路２５０で暗号復号された信号を記録する場合である。この場合には暗号復号した信号をVTR５３に記録するので、暗号復号するための課金処理を記録時に行い、再生時には課金処理されることなく再生が可能である。
【００４１】
なお、図５に示す実施例では暗号復号回路２５０を番組分割回路２３０の後に設けたが、先に暗号復号した後に、番組分割処理を行ってもよい。
【００４２】
図６はVTR５３の一実施例を示すブロック図である。図６において、３００は図１に示すレシーバデコーダ５２からの信号の入出力端子、３０２は図１に示す受信装置５６からの信号の入力端子、３０３はその出力端子、３０５はインタフェース回路、３１１はパリティ付加回路、３１２は変調回路、３２０はテープトランスポート系、３３０は復調回路、３３１は誤り訂正回路、３４０はアナログ映像信号記録処理回路、３５０はアナログ映像信号再生処理回路、３６０はアナログ音声信号記録処理回路、３７０はアナログ音声信号再生処理回路である。
【００４３】
入力端子３００から入力された信号はインタフェース回路３０５を介してパリティ付加回路３１１に入力される。パリティ付加回路３１１ではテープトランスポート系３２０で生じる誤りを訂正するためのパリティ符号を付加する。パリティ付加回路３１１の出力信号は変調回路３１２に入力される。変調回路３１２ではテープトランスポート系３２０に適した形にディジタル信号を変調する。変調方式の例としては、NRZ、NRZI、8-10変換、MFM、M2等の方式が知られている。変調された信号はテープトランスポート系３２０に入力され磁気テープに記録される。
【００４４】
再生時には、再生された信号は復調回路３３０に入力され、変調回路３１２に対応した復調が行われる。復調回路３３０の出力信号は誤り訂正回路３３１に入力され、パリティ付加回路３１１で付加されたパリティ符号に基づきテープトランスポート系３２０で生じた誤りが訂正される。誤り訂正回路３３１の出力信号はインタフェース回路３０５に入力され、入力端子３００から入力された信号と同じ形式の信号に変換された後端子３００から出力される。端子３００から出力された信号は図１に示すレシーバデコーダ５２に入力される。
【００４５】
図６の実施例に示すようにVTR５３内部には図２に示すようなビット圧縮装置１７０〜１７３が不要であり、回路規模の小さいディジタル信号記録VTRを実現できる。また、ビット圧縮装置をそれぞれのVTR内部に持つ必要がなく、番組配信センタ３０に持てばよいので、回路規模が大きくなり、価格も大きくはなるが高性能のビット圧縮装置を用いることができ、相対的にビット圧縮率も大きく取れるので、送信するディジタル信号のデータレートを低減できる。従って、加入者が使用するVTR５３は高画質、低価格、長時間録画が可能となる。
【００４６】
また、端子３０２からは受信装置５６からのアナログ信号が入力され、アナログ映像信号記録処理回路３４０とアナログ音声信号記録処理回路３６０に入力される。ここでは、例えばVHS規格、β規格、８ミリVTR規格などの信号処理が行なわれる。処理された信号はテープトランスポート系３２０に入力される。テープトランスポート系３２０では、従来のVTRと同様にそれぞれのフォーマットに従って信号が記録される。
【００４７】
再生時には、テープトランスポート系３２０で再生された信号がアナログ映像信号再生処理回路３５０、アナログ音声信号再生処理回路３７０に入力され、それぞれアナログ映像信号記録処理回路３４０、アナログ音声信号記録処理回路３６０に対応した再生信号処理が行われる。再生された信号は適宜出力端子３０３を介して図１に示すテレビ受像機５４に入力される。これにより、ディジタル放送と従来のアナログ放送を同一のテープトランスポート系を用いて記録することができる。
【００４８】
図７は図２に示す実施例で、送信装置３１から出力される信号（または、図３に示す出力端子３１aの出力信号）の一例を示す模式図である。図７に示す実施例では図２に示す実施例に合わせて、１つの伝送チャネルで４つの番組を伝送する場合について示す。また、伝送チャネルは（１）〜（n）までのn伝送チャネルの場合について示す。図７において、V1、V2、V3、V4はそれぞれ４つの番組の映像信号、A1、A2、A3、A4はそれぞれ４つの番組の音声信号、PGは番組ガイド情報を示す信号、VECM、AECMはそれぞれ視聴の権利関係を示す制御信号である。そして、それぞれが１つのパケットの信号を表すものとする。
【００４９】
図２に示す実施例で、４つの番組は一般にそれぞれ伝送レートが異なる。また、瞬時的に見た場合には、データ量が多くなったり、少なくなったりする。これを効率良く制御するために、図７に示す様にそれぞれの情報をパケット化して、時分割多重する。パケット内の信号の詳細については、上記した伝送標準に記載されている。図７に示す模式図では詳細に示されていないが、図３を用いて説明したように、各パケット内の信号は必要に応じ暗号化装置１８１〜１８４で暗号化されているし、誤り訂正符号付加装置１８６で誤り訂正符号、時分割多重化装置１８５で同期信号などのヘッダ情報が付加されている。
【００５０】
図４、図５に示す実施例では、端子２００より図７（１）…（n）に示す信号が入力され、チューナ２１０でこのうちの１つの伝送チャネルの信号が選択される。ここでは図７（１）が選択されたものとする。選択された図７（１）に示す信号は誤り訂正回路２２０で誤り訂正され、番組分割回路２３０に入力される。番組分割回路２３０では時分割多重された４つの番組のうち添時１で示されている番組が選択されたものとする。このとき映像信号V1、音声信号A1と同時に、番組ガイド情報PG、視聴権利制御信号VECM、AECMも分離出力される。図８（２）はその番組分割された信号を示す。図８（１）は図７（１）を再記したものである。
【００５１】
図４、図５に示す実施例で切り換え回路２４０はVTR５３の再生信号ではなくチューナ２１０からの信号を直接選択する場合を最初に説明する。図８（２）に示す番組分割された信号は暗号復号回路２５０で暗号復号される。これは、図８（２）に示す視聴権利制御信号VECM、AECM信号に基づき行われる。即ち、加入世帯が今選択した番組の視聴の権利を有する場合には暗号を復号し、視聴の権利がない場合には暗号の復号を行わず、視聴の権利がないことを明示するか、視聴の権利を得る方法を示す情報を端子２０２から出力する。この情報の出力はいわゆるOSDと呼ばれるものであり、出力処理回路２７０で映像信号にこの情報を加算して出力する。
【００５２】
暗号復号された信号は復号回路２６０に入力される。復号回路２６０は図２に示すビット圧縮装置１7０〜１7３に対応するもので、例えばMPEG-2標準に従い入力された信号を復号する。復号された信号は出力処理回路２７０を介して端子２０２より出力される。
【００５３】
また、図４に示す実施例では番組分割回路２３０の出力信号が、図５に示す実施例では暗号復号回路２５０の出力信号がインタフェース回路２９０、端子２０３を介してVTR５３に入力される。インタフェース回路２９０に図８（２）に示す信号が入力される。VTR５３では図８（２）に対応した信号が図６に示す実施例に示すように記録される。
【００５４】
次に図４、図５に示す実施例で切り換え回路２４０が５３からの再生信号側に接続されている場合について説明する。VTR５３で再生された信号は図６に示す実施例に従い再生され、端子２０３、インタフェース回路２９０を介して切り換え回路２４０に入力される。この入力信号は実質的に切り換え回路２４０の他の入力端子から入力される信号に等しい信号である。従って、切り換え回路２４０からの出力信号を図４に示す実施例の場合には暗号復号回路２５０、図５に示す実施例の場合には復号回路２６０に入力することで、チューナ２１０で受信した信号を復元する場合と同様にVTR５３からの信号を復元することができる。
【００５５】
次に、VTR５３で記録された信号の再生を制限する方法について示す。表１に図７、図８に示す番組ガイド情報PGに記載されている内容の一例を示す。
【００５６】
【表１】
2010022029.tif 000003
【００５７】
表１に示すように番組ガイド情報PGにはチャネルに対応する映像信号のパケットを識別するための情報V PID、音声信号のパケットを識別するための情報A PID、視聴権利情報パケットを識別するための情報VE PID、AE PID、番組のタイトル、番組の開始時刻、修了時刻などが記載されている。また、番組ガイド情報のパケットが加入者５０に受信される日付、時刻も記載されている。図２に示したように、１つの伝送チャネルに複数の番組を多重して送るため、チューナ２１０で選択された伝送チャネルからさらに、所望のチャネルの番組を選択する必要がある。そのために、各チャネル毎に異なる識別情報を付加する必要がある。また、映像信号と音声信号さらには番組ガイド情報、視聴権利情報のパケットを識別するために、それぞれ異なる識別情報PIDを付加する。従って、同一の伝送チャネル内の異なるチャネルのパケットには異なる識別情報PIDが付加されるが、異なる伝送チャネル間のチャネルのパケットには同一のパケット識別情報PIDが存在することができる。
【００５８】
番組ガイドパケットPGは復号回路２６０で復号され出力処理回路２７０、端子２０２を介してTV受像機５４に出力し、見たい番組のチャネルを選択する。
【００５９】
VTR５３に１つの番組を記録し、再生する場合には番組ガイドからチャネルを選択して初めて記録した番組を復元するのではなく、１つの番組しか録画されていないのならその番組がそのまま再生されるべきである。そのためには、録画時に番組ガイド情報をそのまま録画するのではなく、録画する番組の情報に合わせた番組情報に変換して番組情報パケットを記録する。図８（３）はその場合の記録信号の例を示す。図８（２）で番組情報パケットPGは例えばインタフェース回路２９０で表２に示すように録画する番組のチャネルの情報に限定して記録する。図８（３）ではその変換された番組情報パケットをMPGで表す。
【００６０】
【表２】
2010022029.tif 000004
【００６１】
図９は図４に示す暗号復号回路２５０、復号回路２６０のさらに詳細を示す実施例のブロック図である。図９において、４００は切り換え回路２４０からの信号の入力端子、４０１は出力端子、４０４は制御回路２８０との制御信号の入出力端子、４０５は制御回路２８０からの制御信号の入力端子、４１０は選択回路、４２０は番組ガイド情報読み取り回路、４２１は番組情報復号回路、４４０は視聴許可判定回路、４５０、４５１は暗号復号回路、４６０は映像信号伸長回路、４６１は音声信号伸長回路、４７０は選択回路である。
【００６２】
初めに、チューナ２１０で受信された信号が入力される場合について説明する。図８（２）に対応する信号が端子４００から入力される。番組情報パケットPGは伝送チャネルにかかわらず同一のパケット識別情報を持つので、このパケット識別情報を元に、選択回路４１０で表１に示すような情報を持つ番組ガイド情報パケットPGが選択されて番組情報読み取り回路４２０に入力される。表１に示すような番組ガイド情報は番組ガイド復号回路４２１に入力され、番組ガイド情報を復号し、選択回路４７０に入力される。端子４０４からは制御回路２８０からの制御信号が番組が緯度読み取り回路４２０、選択回路４７０に入力される。番組ガイド情報が選択されている場合には選択回路４７０から番組ガイド復号回路４２１から入力された信号が選択されて端子４０１を介して出力され、さらに、出力処理回路２７０、端子２０２を介してテレビ受像機５４で番組ガイドを見ることができる。
【００６３】
この番組ガイド情報を見ながら、どのチャネルの番組を見るかを選択すると、端子４０４を介して制御回路２８０からチャネル情報が番組ガイド読み取り回路４２０に入力され、入力されたチャネルに相当するパケット識別情報が読み取られ、選択回路４１０に入力される。選択回路４１０では入力されたパケット識別情報に従って、映像パケットV1、音声パケットA1、視聴権利情報パケットVECM、AECMがそれぞれ映像伸長回路４６０、音声伸長回路４６１、視聴許可判定回路４４０に入力される。
【００６４】
視聴許可判定回路４４０では端子４０５を介して制御回路２８０と制御信号のやり取りを行う。入力された視聴権利情報パケットVECM、AECMに基づき、暗号復号回路４５０、４５１に入力されたパケットの暗号を復号してもよいかどうか判断する。もし、記録された番組が有料番組を示す場合には、端子４０５を介して制御回路２８０に有料番組であることを示す制御信号を送る。制御回路２８０ではその番組に応じた金額をメモリし、端子４０５を介して視聴許可制御信号を視聴許可判定回路４４０に入力する。視聴許可判定回路４４０では必要に応じ視聴権利情報パケットVECM、AECMからの情報を用いて、暗号を復号するための情報を作り、暗号復号回路４５０、４５１に入力する。暗号復号回路４５０、４５１では視聴許可判定回路４４０からの入力信号に基づき暗号化された映像パケットV1、音声パケットA1の暗号を復号する。暗号復号された映像パケットV1、音声パケットA1はそれぞれ映像伸長回路４６０、音声伸長回路４６１に入力される。
【００６５】
映像伸長回路４６０、音声伸長回路４６１でビット圧縮された映像信号、音声信号がそれぞれ伸長され、選択回路４７０に入力される。選択回路４７０では端子４０４から入力される制御信号に従い、伸長した映像信号、音声信号を端子４０１を介して出力する。
【００６６】
次に、VTR５３で再生された信号が入力される場合である、この場合には図８（３）に対応する信号が端子４００から入力される。変換された番組ガイド情報パケットMPGは変換前の番組ガイド情報パケットPGと同じパケット識別情報を持つので、選択回路４１０から番組ガイド読み取り回路４２０に入力される。端子４０４から番組ガイド情報を選択する信号が入力されている場合にはチューナ２１０から信号が入力されている場合と同様に処理され、テレビ受像機５４でVTR５３で再生している表２に示すような番組の情報を見ることができる。
【００６７】
端子４０４から番組ガイド情報を選択していない場合には、番組ガイド読み取り回路４２０から再生中の番組の映像パケットV1、音声パケットA1、視聴権利情報パケットVECM、AECMのパケット識別情報が選択回路４１０に入力され、それぞれのパケットが暗号復号回路４５０、４５１、視聴許可判定回路４４０に入力される。表２に示す様に、変換された番組ガイド情報パケットは録画した番組の情報しか持たないので、特にチャネルの指定の必要なくパケット識別情報を番組ガイド読み取り回路４２０から選択回路４１０に入力することができる。
【００６８】
再生時にも視聴許可判定回路４４０で視聴権利情報パケットVECM、AECMに基づき再生の可否を判断し、かつ必要に応じ課金処理を行うことができる。従って、録画されたテープを無制限に再生することはできず、著作権者やサービス供給者の権利を守ることができる。
【００６９】
次に図５に示す実施例に対応する復号回路の１実施例を図１０に示す。図１０は一部図９に示す実施例と共通であり、その共通部分には同一の符号を付しその詳細説明を省略する。図１０において、４３０は時刻設定回路、４３１は比較回路、４４１は視聴許可判定回路である。
【００７０】
初めに、チューナ２１０で受信された信号が入力される場合について説明する。図８（２）に対応する信号が端子４００から入力される。番組情報パケットPGは伝送チャネルにかかわらず同一のパケット識別情報を持つので、このパケット識別情報を元に、選択回路４１０で表１に示すような情報を持つ番組ガイド情報パケットPGが選択されて番組情報読み取り回路４２０に入力される。番組情報読み取り回路４２０からは番組情報パケットPGが受信された時の日付、時刻情報が時刻設定回路４３０に入力される。時刻設定回路４３０では入力された日付、時刻情報を元に、現在の時刻を設定する。また、表１に示すような番組ガイド情報は番組ガイド復号回路４２１に入力され、番組ガイド情報を復号し、選択回路４７０に入力する。端子４０４を介して制御回路２８０からの制御信号が入力され、番組ガイド情報が選択された場合には選択回路４７０から復号された番組ガイド情報が出力される。
【００７１】
図９に示す実施例と同様に端子４０４から所望のチャネルを選択する制御信号が入力された場合には、番組ガイド読み取り回路４２０からパケット識別情報が選択回路４１０に入力され、選択回路から映像パケット、音声パケットがそれぞれ映像伸長回路４６０、音声伸長回路４６１に入力される。ビット圧縮された信号はそれぞれ伸長され、選択回路４７０に入力され、端子４０４から入力された制御信号に従い、端子４００から出力される。
【００７２】
VTR５３から再生信号が入力された場合には、図９に示す実施例と同様に番組ガイド情報読み取り回路４２０に表２に示すような変換された番組ガイド情報パケットMPGが入力され、その中から、日付、時刻情報が比較回路４３１に入力される。この時入力された日付、時刻情報はVTR５３に録画されたときの情報である。一方、時刻設定回路４３０からは現在の日付、時刻が比較回路４３１に入力される。ここで、現在の日時とVTR５３に録画されたときの日時が比較される。また、視聴許可判定回路４４１には再生された番組の視聴権利情報パケットVECM、AECMが選択回路４１０から選択されて入力され、再生制限の有る番組か、再生制限のない番組かを判定し、その判定結果を比較回路４３１に入力する。比較回路４３１では再生制限のない番組の場合には伸長を制限する制御信号を映像伸長回路４６０、音声伸長回路４６１に向け出力することはしない。再生制限の有る番組の場合にはその条件を比較回路４３１に入力する。再生制限条件とは、例えば記録当日のみ、記録後３日間あるいは１週間観賞できるなどの期限を決めて再生を許可するものである。この条件に従い、比較回路４３１で比較された現在日時と記録された日時の差を取ることで、再生の可否が判断される。この再生可否に従い、再生不可の場合には伸長を制限する信号を映像伸長回路４６０、音声伸長回路４６１に入力する。これにより、録画したテープを無制限に再生することはできなくなり、著作権者、サービス供給者の権利を守ることができる。
【００７３】
本発明に従えば、例えば録画したテープを複製したとしても同一の条件のテープしかできないため、著作権者やサービス供給者に無許可でテープの複製を作成しても限られた視聴しかできず、いわゆる海賊版のテープを作成することはできない。
【００７４】
また現在時刻の設定を受信信号に従って行っているので、現在時刻がずれることもなく、また、人為的に現在時刻をずらすこともできない。また、同様な理由により録画後の経過時間を正確にかつ示すことができ、さらに人為的に変更できないため、上記の権利を確実に保護することができる。
【符号の説明】
【００７５】
５２  …  レシーバデコーダ
５３  …  VTR
１７１〜１７３  …  ビット圧縮装置
１８０  …  送信処理装置
１８１〜１８４  …  暗号化装置
１８５  …  時分割多重化装置
１８６  …  誤り訂正符号付加装置
１８７  …  変調装置
２２０、３３１  …  誤り訂正回路
２３０  …  番組分割回路
２５０  …  暗号復号回路
２６０  …  復号回路
３１１  …  パリティ付加回路
４１０、４７０  …  選択回路
４２０  …  番組ガイド読み取り回路
４３０  …  時刻設定回路
４３１  …  比較回路
４４０、４４１  …  視聴許可判定回路
【図１】
2010022029.tif 000005
【図２】
2010022029.tif 000006
【図３】
2010022029.tif 000007
【図４】
2010022029.tif 000008
【図５】
2010022029.tif 000009
【図６】
2010022029.tif 000010
【図７】
2010022029.tif 000011
【図８】
2010022029.tif 000012
【図９】
2010022029.tif 000013
【図１０】
2010022029.tif 000014
【手続補正書】
【提出日】平成21年9月24日(2009.9.24)
【手続補正１】
【補正対象書類名】明細書
【補正対象項目名】００１１
【補正方法】変更
【補正の内容】
【００１１】
上記課題を解決するために、本発明の一実施の態様は、例えば特許請求の範囲に記載された技術的思想を用いる。
【手続補正２】
【補正対象書類名】明細書
【補正対象項目名】００１２
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
ディジタル信号を受信装置において受信する受信方法であって、
前記ディジタル信号を受信する受信ステップと、
時刻情報を受信する受信ステップと、
前記受信ステップで受信されたディジタル信号を蓄積メディアに記録する記録ステップと、
前記蓄積メディアから前記ディジタル信号を再生する再生ステップと、
再生された前記ディジタル信号を出力する出力ステップと、
前記受信ステップで受信された時刻情報により前記受信装置に現在時刻を設定する時刻設定ステップとを備え、
前記時刻設定ステップで設定した現在時刻は人為的にずらすことのできない現在時刻であり、
前記出力ステップは、前記ディジタル信号に再生可能期限の制限がある場合には、前記現在時刻が前記再生可能期限内であるときにのみ前記ディジタル信号を出力することを特徴とする受信方法。
【請求項２】
ディジタル信号を受信する受信装置であって、
前記ディジタル信号と時刻情報とを受信する受信手段と、
前記受信手段で受信されたディジタル信号を蓄積メディアに記録する記録手段と、
前記蓄積メディアから前記ディジタル信号を再生する再生手段と、
再生された前記ディジタル信号を出力する出力手段と、
前記受信手段で受信された前記時刻情報によって現在時刻を設定する時刻設定手段とを備え、
前記時刻設定手段は、設定した現在時刻が人為的にずらすことのできない現在時刻となるようにし、
前記出力手段は、前記ディジタル信号に再生可能期限の制限がある場合には、前記現在時刻が前記再生可能期限内であるときにのみ前記ディジタル信号を出力することを特徴とする受信装置。